(57)【要約】【課題】画像表示装置のシールドケースが押圧されてもシールドケースの組み合わせがずれることを防止することを目的とする。【解決手段】略矩形平板状の表示パネル１０と、表示パネル１０の一主面に対向し、表示パネル１０を載置する第１のシールドケース２０、及び、表示パネル１０の他主面に対向するように設けられた第２のシールドケース３０を有する画像表示装置１において、第１のシールドケース２０にブリッジ状の支持用突起部２３を設ける。一方、第２のシールドケース３０には第１のシールドケースの支持用突起部２３と対応する位置に支持用切り欠き３３を設ける。この支持用突起部２３と支持用切り欠き３３を係合させることにより、第１のシールドケース２０と第２のシールドケース３０を組み合わせる。【選択図】      図１
2010204558.tif 000002
【特許請求の範囲】
【請求項１】
一主面に表示領域を有する表示パネルと、
前記表示パネルの他主面側と対向し、少なくとも第１側面と底面を有して前記表示パネルを載置する金属製の第１のシールドケースと、
前記表示パネルに対応する領域が切り抜かれた天面及び前記表示パネルの側面を囲う第２側面を有するとともに、前記天面を前記表示パネルの前記表示領域と対向させた前記第１のシールドケースを覆うように配置される金属製の第２のシールドケースと、を備え、
前記第１のシールドケースの第１側面に第１の支持用係合部を設け、
前記第２のシールドケースにおける前記第１のシールドケースの前記第１の支持用係合部が設けられた第１側面と対向する第２側面に第２の支持用係合部を設け、
前記第１の支持用係合部と前記第２の支持用係合部とが係合されていることを特徴とする画像表示装置。
【請求項２】
前記第１の支持用係合部が突起状であり、
前記第２の支持用係合部が切り欠き状であることを特徴とする請求項１に記載の画像表示装置。
【請求項３】
前記第１の支持用係合部が、板状の金属をブリッジ状に折り曲げて形成した突起状であることを特徴とする請求項２に記載の画像表示装置。
【請求項４】
前記第１の支持用係合部が、ブロック状であることを特徴とする請求項２に記載の画像表示装置。
【発明の詳細な説明】
【技術分野】
【０００１】
本発明はシールドケースを備えた画像表示装置に関する。
【背景技術】
【０００２】
画像表示装置としては、表示パネルと、表示パネルを載置する下側のシールドケースと、表示パネルの表示領域と対応する部分が切り抜かれ、表示パネルを介して下側のシールドケースと対向する上側のシールドケースとを有する構成が知られている。例えば、特許文献１に記載の液晶表示装置においては、金属製の下側ケースの側面には突起が設けられ、また、金属製の上側のシールドケースの側面にはこの下側ケースの突起に対応する位置にフックが設けられている。この突起をフックに嵌合するようにして、下側ケースと上側のシールドケースとを上側シールドケースが下側シールドケースを覆うように組み合わせられている。
【０００３】
しかしながら、上述の液晶表示装置は、上側のシールドケース側から押圧に耐えることができないことがある。このようなシールドケースが押圧される負荷により、上側のシールドケースと下側ケースとの組み合わせがずれるとともに、上側のシールドケースが表示パネルを押すこととなる場合がある。このような場合、上側のシールドケースによって押圧された表示パネルに波紋が生じる虞があり、表示品位の劣化を招くという問題があった。
【先行技術文献】
【特許文献】
【０００４】
【特許文献１】特開２００２−３０３８５１号公報
【発明の概要】
【発明が解決しようとする課題】
【０００５】
本発明は、押圧に対する耐性が高いシールドケースを有する画像表示装置を提供することを目的とする。
【課題を解決するための手段】
【０００６】
本発明の一態様によれば、一主面に表示領域を有する表示パネルと、前記表示パネルの他主面側と対向し、少なくとも第１側面と底面を有して前記表示パネルを載置する金属製の第１のシールドケースと、前記表示パネルに対応する領域が切り抜かれた天面及び前記表示パネルの側面を囲う第２側面を有するとともに、前記天面を前記表示パネルの前記表示領域と対向させた前記第１のシールドケースを覆うように配置される金属製の第２のシールドケースと、を備え、前記第１のシールドケースの第１側面に第１の支持用係合部を設け、前記第２のシールドケースにおける前記第１のシールドケースの前記第１の支持用係合部が設けられた第１側面と対向する第２側面に第２の支持用係合部を設け、前記第１の支持用係合部と前記第２の支持用係合部とが係合されていることを特徴とする画像表示装置が提供される。
【発明の効果】
【０００７】
本発明によれば、押圧された表示パネルの表示品位の劣化を抑制することが可能な画像表示装置を提供できる。
【図面の簡単な説明】
【０００８】
【図１】本発明の第１の実施の形態に係る画像表示装置を表す全体図である。
【図２】本発明の第１の実施の形態に係る画像表示装置の組み立て状態を示す斜視図である。
【図３】図１で示す画像表示装置のＩ−Ｉ線断面拡大図である。
【図４】図１で示す画像表示装置の表示パネルのＩ−Ｉ線断面拡大図である。
【図５】本発明の第１の実施の形態に係る画像表示装置の第１のシールドケースの側面の組み合わせ用突起が設けられている部分の拡大図である。
【図６】図１で示す画像表示装置のＩＩ−ＩＩ線断面拡大図である。
【図７】本発明の第１の実施の形態に係る画像表示装置の第１のシールドケースの側面の支持用突起が設けられている部分の拡大図である。
【図８】本発明の第２の実施の形態に係る画像表示装置の第１のシールドケースの側面の支持用突起が設けられている部分の拡大図である。
【発明を実施するための形態】
【０００９】
（第１の実施の形態）
以下、この発明の第１の実施の形態に係る画像表示装置１について図１乃至図４を参照して説明する。図１は、本発明の第１の実施の形態に係る画像表示装置１を表す全体図である。図２は、本発明の第１の実施の形態に係る画像表示装置１の組み立て状態を示す斜視図である。図３及び図４は図１のＩ−Ｉ線に沿う画像表示装置の一部欠載断面図である。
【００１０】
図１に示すように、画像表示装置１は略矩形平板状の表示パネル１０と、表示パネル１０の一主面に対向し、表示パネル１０を載置する第１のシールドケース２０と、表示パネル１０の他主面を囲むように設けられた第２のシールドケース３０と、を有する。第１のシールドケース２０は図２に示すように、略矩形状の底面２０ｃ、及び、底面２０ｃに対向しその一部が略矩形に切り抜かれた額縁状の第１天面２０ａ、及び、底面２０ｃの外周に沿って設けられた第１側面２０ｂを有する。つまり、第１側面２０ｂは、底面２０ｃと第１天面２０ａとを接続している。この第１のシールドケース２０内には、表示パネル１０に光を供給する照明ユニット４０及び光拡散板４１を収納している。
【００１１】
一方、第２のシールドケース３０は略矩形の第２天面３０ａ及び第２天面３０ａの外周に沿って設けられた第２側面３０ｂを有する。第２天面３０ａは表示パネル１０の大きさに対応する領域が切り抜かれて額縁状に形成されている。
【００１２】
図３で明らかなように、第１のシールドケース２０内の底面２０ｃ側には照明ユニット４０が収納されている。この照明ユニット４０に一主面を対向させるように略矩形平板状の光拡散板４１が第１のシールドケース２０内の第１天面２０ａ側に配置されている。第１のシールドケース２０の第１天面２０ａにおいて、表示パネル１０の表示領域１７に対応する切り抜かれた領域から光拡散板４１が露出される。
【００１３】
第１のシールドケース２０の外側（照明ユニット４０及び光拡散板４１が配置された側とは反対側）において、第１のシールドケース２０の第１天面２０ａには、液晶パネル１０が設置されている。つまり、第１のシールドケース２０の額縁の第１天面２０aの両側に、光拡散板４１と表示パネル１０が設置される。第１のシールドケース２０及び第２のシールドケース３０はステンレスや鉄などの金属によって形成されている。
【００１４】
このように配置された第１のシールドケース２０及び表示パネル１０に、第２のシールドケース３０がその第２天面３０ａを第１のシールドケース２０の第１天面２０ａと対向させて配置される。第２のシールドケース３０は、第１のシールドケース２０の第１側面２０ｂを内包しながら覆うように配置される。即ち、第１のシールドケース２０の第１側面２０ｂと第２のシールドケース３０の第２側面３０ｂは接している。第２のシールドケースの第１天面３０ａから表示パネル１０が露出しており、第２のシールドケースの天面３０ａは表示パネル１０と重ならない。
【００１５】
表示パネル１０は、液晶表示パネル、プラズマ表示パネル、有機エレクトロルミネッセンス（ＥＬ）表示パネル、電界放出型表示パネルなど様々な種類が存在し、特に種類は問わないがこの実施の形態においては液晶表示パネルとする。
【００１６】
表示パネル１０について、図４を使って説明する。表示パネル１０は、アレイ基板１１及び対向基板１２と、アレイ基板１１と対向基板１２との間に保持された液晶層１４を備えている。これらのアレイ基板１１と対向基板１２は、対向面の周辺部に配置したシール材１５によってギャップをもって貼り合わせられている。液晶層１４を形成する液晶材料は、アレイ基板１１と対向基板１２と対向面間に形成されたギャップに封入される。表示パネル１０は、シール材１５によって囲まれた領域の内側に、画像を表示する略矩形状の表示領域１７を有しており、また、この表示領域１７を囲うように額縁部１８を有している。
【００１７】
アレイ基板１１と対向基板１２の表示領域に対応する領域には偏光板が設けられている。
【００１８】
再び図３に戻って説明すると、表示パネル１０を駆動する回路基板１６は、導電性フィルムによって形成されており、この回路基板１６は表示パネル１０の１辺に接続される。表示パネル１０が第１のシールドケース２０に収納される際、回路基板１６は第１のシールドケースの第１天面２０ａの切り抜かれた領域を通して、第１のシールドケース２０内の第１側面２０ｂ側に収納される。
【００１９】
図５は、本発明の第１の実施の形態に係る画像表示装置１の第１のシールドケース２０の第１側面２０ｂの組み合わせ用突起が設けられている部分の拡大図である。
【００２０】
第１のシールドケース２０には、組み合わせ用突起部２１が第１側面２０ｂに設けられている。第２のシールドケース３０の第２側面３０ｂには、第１のシールドケース２０の組み合わせ用突起部２１と対応する位置に組み合わせ用係合部３１が設けられている。これら組み合わせ用突起部２１と組み合わせ用係合部３１が係合されることにより、第２のシールドケース３０と第１のシールドケース２０を組み合わせることができる。
【００２１】
組み合わせ用突起部２１は、図３及び図５で示すように、第１のシールドケース２０の第１側面２０ｂから突出し、第１のシールドケース２０の第１側面２０ｂの第１底辺２０ｂ'に向かって厚くなる嘴状である。
【００２２】
つまりこの組み合わせ用突起部２１は、第１のシールドケース２０の第１側面２０ｂの第１底辺２０ｂ'に近いほど高く突出する。なお、第１のシールドケース２０の第１側面２０ｂの第１底辺２０ｂ'とは、第１のシールドケース２０の第１側面２０ｂと第１のシールドケース２０の底面２０ｃが接する辺のことを指す。
【００２３】
この組み合わせ用突起部２１の数は、第１のシールドケース２０及び第２のシールドケース３０の大きさによる。この実施の形態において、シールドケースの大きさは、第２のシールドケース３０の第２天面３０ａの長い方の辺を横として、縦１０ｃｍ、横１８ｃｍである。ここでは、この組み合わせ用突起部２１を第１のシールドケース２０の縦の辺に２つ、横の辺に３つ均等な間隔で設ける。また、組み合わせ用突起部２１の材質はシールドケースと同じ金属で例えばステンレスや鉄とする。
【００２４】
一方、組み合わせ用係合部３１は、第２のシールドケース３０の第２側面３０ｂに、組み合わせ用突起部２１に対応するように略四角形状に切り抜かれたものである。
【００２５】
このような組み合わせ用突起部２１及び組み合わせ用係合部３１を使って第１のシールドケース２０と第２のシールドケース３０とを組み合わせる際には、第１のシールドケース２０と第２のシールドケース３０とが正確な位置で組み合わせられるように、第１のシールドケース２０は、第１天面２０ａの外縁に沿って、薄板状の位置決め用突起部２２が設けられている。一方、第２のシールドケース３０には、第２天面３０ａの外縁に沿って配置された、位置決め用突起部２２に対応する位置決め用係合部３２が設けられている。第１のシールドケース２０と第２のシールドケース３０を組み合わせると、第１のシールドケース２０の位置決め用突起部２２が第２のシールドケース３０の位置決め用係合部３２を貫通し、位置決め用突起部２２の一部が第２のシールドケースの第２天面３０ａから露出する。
【００２６】
この第２のシールドケース３０の位置決め用突起部２２は、第１のシールドケース２０と第２のシールドケースとを組み合わせた際、表示パネル１０を透過した光を第２のシールドケース３０の外側に通過させて見栄えを悪くしないようにできるだけ少なく設ける。この実施の形態においては、位置決め用突起部２２は第１のシールドケース２０の第１天面２０ａの４つの辺のうちの隣り合う２辺にそれぞれ２箇所ずつ合計４箇所に設け、位置決め用係合部３２もこれに対応する位置に設ける。
【００２７】
図６は、図１で示す画像表示装置のＩＩ−ＩＩ線断面の図である。図７は、本発明の第１の実施の形態に係る画像表示装置１の第１のシールドケース２０の第１側面の支持用突起部が設けられている部分の拡大図である。
【００２８】
第１のシールドケース２０には第１側面２０ｂに支持用突起部（第１の支持用係合部）２３が設けられている。この支持用突起部２３は図７のように金属の平板の２箇所を折り曲げたブリッジ状で、図７のように第１のシールドケース２０の第１側面２０ｂの第１底辺２０ｂ'に沿って設けられている。この実施の形態において、この支持用突起部２３は第１のシールドケース２０の第１天面２０ａの縦方向に平行な第１側面２０ｂに２つずつ、第１天面２０ａの横方向に平行な第１側面２０ｂに３つずつ均等な間隔で設けられている。
【００２９】
一方、支持用突起部２３がはめ込まれる第２のシールドケース３０の支持用切り欠き（第２の支持用係合部）３３は、第２のシールドケース３０の第２側面３０ｂの第２底辺３０ｂ'に沿って設けられており、その大きさはこの支持用突起部２３の大きさに対応する。この支持用切り欠き３３は、支持用突起部２３に対応する位置に設けられている。
【００３０】
支持用突起部２３の第１のシールドケース２０の第１天面２０ａ側の辺は、第２のシールドケース３０の支持用切り欠き３３の辺と接触する。この接触により、第２のシールドケース３０の第２天面３０aが押圧される際には、第２のシールドケース３０を支えることができる。つまり、支持用突起部２３及び支持用切り欠き３３を設けることにより、第１のシールドケース２０と第２のシールドケース３０の組み合わせ状態を保持することができる。
【００３１】
一方、組み合わせ用突起部２１と組み合わせ用係合部３１においては、組み合わせ用突起部２１は図３のように、第１のシールドケースの第１側面２０ｂの第１底辺２０ｂに向かって厚くなるように傾斜している。このため、組み合わせ用突起部２１の第１のシールドケース２０の第１天面２０ａ側の面は、線状であり、組み合わせ用係合部３１と線で接することとなる。よって、第２のシールドケース３０の第２天面２０ａ側からの押圧を受けた場合、組み合わせ用突起部２１と組み合わせ用係合部３１がずれてしまい、第１のシールドケース２０と第２のシールドケース３０の組み合わせ状態を保持することができないことがある。
【００３２】
支持用突起部２３を設けることにより、位置決め用突起部２２を第２のシールドケース３０を支持する役割も兼ねて第２のシールドケース３０の第２天面３０ａの４辺に設ける方法を採ることもできる。なお、表示パネル１０を透過した光及び光拡散板４１を透過した光のうち、位置決め用係合部３２を通ってシールドケースの外側に漏れる光の量を少なくするためには、位置決め用突起部２２及び位置決め用係合部３２の数は少ない方が望ましい。
【００３３】
支持用突起部２３及び支持用切り欠き３３は、第２のシールドケース３０の第２天面３０ａの位置決め用突起部２２及び位置決め用係合部３２が設けられていない部分が押圧される場合は、支持用突起部２３及び支持用切り欠き３３以外に第一のシールドケース２０と第２のシールドケース３０を支持するものがないため特に効果的である。
【００３４】
また、この画像表示装置１は、第２のシールドケース３０の第２天面３０aと表示パネル１０が重ならない構造となっているため、第２のシールドケース３０の第２天面３０aが押圧されても圧力が表示パネル１０に伝わらないので表示パネル１０に波紋を生じさせない。
【００３５】
第１の実施の形態によれば、シールドケースからの光漏れを軽減しながら、シールドケースへの押圧に耐えることができるので、押圧に強い画像表示装置を得ることができる。
【００３６】
（第２の実施の形態）
本発明の第２の実施の形態を図８を参照して説明する。図８は本発明の第２の実施の形態に係る画像表示装置１の第１のシールドケース２０の第１側面の支持用突起が設けられている部分の拡大図である。
【００３７】
この実施の形態における画像表示装置１は、第１の実施の形態で説明した支持用突起部２３の形状以外は同じなので、同じ部分の説明は省略する。この第２の実施の形態における支持用突起部２３aはブロック状とする。この支持用突起部２３ａの長辺を第１のシールドケース２０の第１側面２０ｂの底辺２０ｂ'に沿うようにして設ける。この支持用突起部２３ａの第１のシールドケース２０の第１天面２０ａ側の面２０ａＳは、支持用切り欠き３３の底面３１Ｓと直交するように形成されることが望ましい。
【００３８】
ブロック状の支持用突起部２３ａにおける第１のシールドケース２０の第１天面２０ａ側の面は、支持用切り欠き３３と接する。つまり、ブロック状の支持用突起部２３ａの第２天面２０ａ側の面２３ａＳは、支持用切り欠き３３が設けられた第２のシールドケース３０の第２側面３０ｂの厚さに応じた面で接触する。この接触により、第２のシールドケース３０の第２天面３０ａが押圧される際には、第２のシールドケース３０を支えることができる。よって、第１の実施の形態と同様の効果を得ることができる。
【００３９】
支持用突起部２３aをブロック状にすると、第１の実施の形態の支持用突起部２３のように金属板をブリッジ状に折り曲げる作業を省略できるので、第２の実施の形態によれば、さらに製造を容易にすることができる。
【符号の説明】
【００４０】
１  画像表示装置
１０  表示パネル
１１  アレイ基板
１２  対向基板
１３  偏光板
１４  液晶層
１５  シール材１５
１６  回路基板
１７  表示領域
１８  額縁部
２０  第１のシールドケース
２０ａ  第１のシールドケースの天面（第１天面）
２０ｂ  第１のシールドケースの第１側面
２０ｂ’  第１シールドケースの第１側面の第１底辺
２０ｃ  第１のシールドケースの底面
２１  組み合わせ用突起部
２２  位置決め用突起部
２３  支持用突起部
２３ａ  支持用突起部
３０  第２のシールドケース
３０ａ  第２のシールドケースの天面（第２天面）
３０ｂ  第２のシールドケースの第２側面
３１  組み合わせ用係合部
３２  位置決め用係合部
３３  支持用切り欠き
４０  照明ユニット
４１  光拡散板
【図１】
2010204558.tif 000003
【図２】
2010204558.tif 000004
【図３】
2010204558.tif 000005
【図４】
2010204558.tif 000006
【図５】
2010204558.tif 000007
【図６】
2010204558.tif 000008
【図７】
2010204558.tif 000009
【図８】
2010204558.tif 000010